(57)【特許請求の範囲】
【請求項１】
複数の表示ユニットを組合わせて１つの大画面を構成するマルチスクリーンディスプレイ装置であって、該マルチスクリーンディスプレイ装置は、
前記複数の表示ユニットと、
前記複数の表示ユニットを通信ケーブルを介して直列に接続し、前段ユニットから後段ユニットへ信号を送受可能にした接続手段と、
前記各表示ユニットにそれぞれ設けられ、各表示ユニットに動作用の電源電圧を供給する電源回路と、
前記各表示ユニットにそれぞれ設けられ、自己の表示ユニットの各種制御を行うとともに、他の表示ユニットとの間の情報の授受処理を行い、自己の表示ユニットの故障を検出した場合には、エラー信号を後段の表示ユニットに送信し、前段ユニットからエラー信号を受信した場合には、このエラー信号を後段の表示ユニットに送信して自己の表示ユニットの画面状態を切換える制御回路と、
を具備したことを特徴とするマルチスクリーンディスプレイ装置。
【請求項２】
前記制御手段は、前段ユニットからエラー信号を受信した場合に、画面をフリーズすることにより画面状態を切換えることを特徴とする請求項１記載のマルチスクリーンディスプレイ装置。
【請求項３】
前記制御手段は、前段ユニットからエラー信号を受信した場合に、画面に表示する映像信号の入力切換えを行うことにより画面状態を切換えることを特徴とする請求項１記載のマルチスクリーンディスプレイ装置。
【請求項４】
前記制御手段は、前段ユニットからエラー信号を受信した場合に、画面に内蔵テストパターンを表示することにより画面状態を切換えることを特徴とする請求項１記載のマルチスクリーンディスプレイ装置。
【発明の詳細な説明】
【０００１】
【発明の属する技術分野】
本発明は、複数の表示ユニットを組合わせてマルチスクリーンを形成し、大画面の映像を表示可能にしたもので、特に故障の判定を容易にしたマルチスクリーンディスプレイ装置に関する。
【０００２】
【従来の技術】
近年、大画面の映像を表示する装置として、複数の表示ユニットを縦横に組合わせて成るマルチスクリーンディスプレイ装置が普及している。上記の各表示ユニットは、ＣＲＴあるいは液晶等を用いて構成した投射型ディスプレイ装置が一般的に使用されており、展示会でのプレゼンテーションや、コンサート会場、テレビスタジオ等で多用されている。
【０００３】
このような従来のマルチスクリーンディスプレイ装置では、デジタルインターフェイスを利用することで、初段の表示ユニットのみに外部のデータプロセッサからの通信ケーブルを接続し、他の表示ユニットはインターフェイスを介して前段から次段へと情報，映像が伝達されるようにすれば、表示ユニットそれぞれに外部からの通信ケーブルを接続する必要がなく、ケーブル類の少ないすっきりとしたマルチスクリーンディスプレイ装置を構成することができる。しかしながら、１つの表示ユニットが故障した場合、これよりも後段の表示ユニットには信号が伝達されず、これら後段の表示ユニットは、動作的に故障と同等の状態となり、マルチスクリーンディスプレイ装置の画面全体で故障が目立っていた。
【０００４】
また、１００面などの大型のマルチスクリーンディスプレイ装置では、正常か故障かを判断するには故障した表示ユニットを除いてデジタルインタフェイスの配線を変更して確認するか、デジタルインタフェイスを利用したシステムをやめるかの方法しかなく、故障した表示ユニットを特定するのが難しかった。
【０００５】
【発明が解決しようとする課題】
このような従来のマルチスクリーンディスプレイ装置では、１つの表示ユニットが故障した場合、これよりも後段の表示ユニットには信号が伝達されず、これら後段の表示ユニットは、動作的に故障と同等の状態となり、マルチスクリーンディスプレイ装置の画面全体で故障が目立っていた。また、大型のマルチスクリーンディスプレイ装置では、故障した表示ユニットを特定するのが難しかった。
【０００６】
この発明は上記問題点を除去し、表示ユニットが故障した場合において、画面全体で故障を目立たなくするとともに、故障した表示ユニットを容易に特定できるようにしたマルチスクリーンディスプレイ装置を提供することを目的とする。
【０００７】
【課題を解決するための手段】
本発明の請求項１に記載のマルチスクリーンディスプレイ装置は、複数の表示ユニットを組合わせて１つの大画面を構成するマルチスクリーンディスプレイ装置であって、該マルチスクリーンディスプレイ装置は、前記複数の表示ユニットと、前記複数の表示ユニットを通信ケーブルを介して直列に接続し、前段ユニットから後段ユニットへ信号を送受可能にした接続手段と、前記各表示ユニットにそれぞれ設けられ、各表示ユニットに動作用の電源電圧を供給する電源回路と、前記各表示ユニットにそれぞれ設けられ、自己の表示ユニットの各種制御を行うとともに、他の表示ユニットとの間の情報の授受処理を行い、自己の表示ユニットの故障を検出した場合には、エラー信号を後段の表示ユニットに送信し、前段ユニットからエラー信号を受信した場合には、このエラー信号を後段の表示ユニットに送信して自己の表示ユニットの画面状態を切換える制御回路と、を具備したことを特徴とする。
【０００８】
本発明は、このような構成により、故障した表示ユニットのみ停止状態となり、故障した表示ユニットよりも後段の表示ユニットは画面状態を切換えるだけなので、表示ユニットが故障した場合において、画面全体で故障を目立たなくするとともに、故障した表示ユニットを容易に特定できる。
【０００９】
【発明の実施の形態】
以下、本発明の実施の形態を図面を参照して説明する。
【００１０】
図１は、マルチスクリーンディスプレイ装置を構成する各表示ユニットの内部構成を示すブロック図であり、図２はマルチスクリーンディスプレイ装置の全体ブロック図を示し、特に各表示ユニットの接続関係を示したものである。
【００１１】
まず、図２を用いて本発明の全体構成を説明する。
【００１２】
図２において、マルチスクリーンディスプレイ装置１０は、複数（本実施の形態では９個）の表示ユニット１，２，３・・・・９を縦横にそれぞれ３個ずつ並べて配置している。この場合、第１列目には左から順に表示ユニット１，２，３が配置され、第２列目には右から順に表示ユニット４，５，６が配置され、第３列目には左から順に表示ユニット７，８，９が配置されており、９画面で１つの大画面を形成するようにしている。
【００１３】
また、それぞれの表示ユニット１〜９には、各表示ユニット間を電気的に接続するためデジタルインターフェイス１１，１２，１３・・・・１９が設けられており、各デジタルインターフェイス間を通信ケーブル２１，２２，２３・・・・２８で接続するようにしている。各デジタルインターフェイス１１〜１９は、それぞれ第１の端子（ＩＮ）と第２の端子（ＯＵＴ）を有しており、前段の表示ユニットの第２の端子（ＯＵＴ）と次段の表示ユニットの第１の端子（ＩＮ）を各通信ケーブル２１〜２８で結合している。（以下、第１の端子をＩＮ端子、第２の端子をＯＵＴ端子と呼ぶことにする。）
本発明の実施の形態では、初段の表示ユニット１はマスターユニットを構成し、以降に接続された他の表示ユニット２〜９を制御するようにしている。このため、初段の表示ユニット１のデジタルインターフェイス１１は、ＩＮ端子がケーブル２０を介して外部のデータプロセッサに接続されている。初段の表示ユニット１のＩＮ端子には、外部のデータプロセッサからのデジタル映像信号及び各ユニットの番号（何台目かを示す番号）等の制御信号が供給される。また、デジタルインターフェイス１１は、ＯＵＴ端子がケーブル２１によって２段目のデジタルインターフェイス１２のＩＮ端子に接続されている。
【００１４】
以降、前段に位置するデジタルインターフェイスのＯＵＴ端子と次段のデジタルインターフェイスのＩＮ端子を接続するように各ケーブル２２〜２８が接続される。尚、終段の表示ユニット９のデジタルインターフェイス１９のＯＵＴ端子には何も接続されない。こうして、各表示ユニット１〜９は、直列に接続されることになる。
【００１５】
次に図１により、各表示ユニットの内部構成を説明する。
【００１６】
図１は、初段（マスター）の表示ユニット１と第２段目の表示ユニット２を代表として示しているが、他の表示ユニット３〜９は表示ユニット２と同様の構成を有し、前記初段の表示ユニット１によって制御されるようになっている。
【００１７】
表示ユニット１は、制御回路３１と、デジタル・マルチメディア・エンジン  （以下、ＤＭＥエンジンと呼ぶ）３２と、ファン制御回路３３と、電源回路３４と、ビデオ回路３５と、デジタル回路３６とを有し、さらに前記デジタルインターフェイス１１を備えている。このデジタルインターフェイス１１のＯＵＴ端子は、通信ケーブル２１を介してデジタルインターフェイス１２のＩＮ端子に接続されており、上記通信ケーブル２１，２２・・・・は双方向通信を可能とし、例えばＲＳ２３２Ｃプロトコルによる制御信号をデジタルインターフェイスのＯＵＴ端子又はＩＮ端子に入出力することができる。また、表示ユニット１には、ビデオ入力やＲＧＢ入力等のアナログ映像信号も供給されている。
【００１８】
制御回路３１は、マイクロコンピュータで構成され、デジタルインターフェイス１１のＩＮ端子からのデジタル映像信号及び制御信号が供給され、供給される制御信号のモニタを行い、自己の表示ユニット１の制御及び他の表示ユニット２〜９の制御を行う。
【００１９】
また、制御回路３１は、ＤＭＥエンジン３２と、ファン制御回路３３と、電源回路３４と、ビデオ回路３５と、デジタル回路３６の制御を行う。ＤＭＥエンジン３２は、制御回路３１の制御に基づいて各種の入力映像信号（上述のデジタル映像信号やアナログ映像信号）に対して走査線変換等を行い、画面表示内容の切換えを行う。ファン制御回路３３は、制御回路３１の制御に基づいて表示ユニット１の内部を冷却するためのファンのモータ駆動制御を行う。電源回路３４は、制御回路３１の制御に基づいて、表示ユニット１内の映像表示手段や各回路への電源の供給のオン，オフを行っている。ビデオ回路３５は、制御回路３１の制御に基づいて各種の入力映像信号の内、画面に表示する映像信号の切換選択を行う。デジタル回路３６は、制御回路３１の制御に基づいて内蔵テストパターン読み出し制御回路３１に供給する。
【００２０】
また、制御回路３１は、デジタルインターフェイス１１のＩＮ端子からのデジタル映像信号及び制御信号をＯＵＴ端子から後段の表示ユニットに送信する。さらに、制御回路３１は、自己の表示ユニットの故障を検出した場合には、エラー信号（例えば５Ｖの電圧）をデジタルインターフェイス１１のＯＵＴ端子から後段の表示ユニットに送信するとともに前記電源回路３４を停止状態にする。
【００２１】
また、表示ユニット２，３・・・・９も上記表示ユニット１と同様に構成されている。表示ユニット２を例にとると、表示ユニット２は、制御回路４１と、ＤＭＥエンジン４２と、ファン制御回路４３と、電源回路４４と、ビデオ回路４５と、デジタル回路４６を有し、さらに前記デジタルインターフェイス１２を備えている。このデジタルインターフェイス１２のＩＮ端子は、通信ケーブル２１を介してデジタルインターフェイス１１のＯＵＴ端子に接続され、デジタルインターフェイス１２のＯＵＴ端子は通信ケーブル２２を介して次段のデジタルインターフェイス１３（図２参照）のＩＮ端子に接続されている。
【００２２】
制御回路４１は、前段ユニットからエラー信号を受信した場合には、このエラー信号を後段の表示ユニットに送信するとともに映像表示手段の画面状態を切換える。
【００２３】
これら各回路４１，４２，４３，４４，４５，４６は前記表示ユニット１の各回路３１，３２，３３，３４，３５，３６と同様なものであり、各表示ユニットは単体でも利用可能になっている。
【００２４】
次にこのような構成の本発明のマルチスクリーンディスプレイ装置の実施形態の動作を図３のフローチャートを用いて説明する。
【００２５】
まず、初期設定（ステップＳ１）において、各表示ユニットをマルチスクリーンディスプレイ装置として使用する場合は、各表示ユニット１〜９の電源の投入を行う。これにより、制御回路３１，４１…のマイクロコンピュータが初期設定を行う。
【００２６】
これによりメインループに入り、制御回路３１（４１）は、ステップＳ２，Ｓ３，Ｓ４において、ＤＭＥエンジン３２（４２）、ファン制御回路３３（４３）、電源回路３４（４４）に対して信号の授受を行い、ＤＭＥエンジン動作、ファン動作、電源回路動作が正常であるか、否かを周期的にチェックする。
【００２７】
ステップＳ２，Ｓ３，Ｓ４の内少なくとも１つにおいて異常が検出された場合は、ステップＳ５，Ｓ６による表示ユニットの故障状態の処理ルーチンに移行し、制御回路３１（４１）は、ステップＳ５においてデジタルインターフェイスのＯＵＴ側にエラー信号（Ｈ＝５Ｖ）を出力し、ステップＳ６において、マイクロコンピュータの電源以外の電源（表示ユニット電源）を切り、スタンバイ状態にして、ステップＳ９の処理に移行する。
【００２８】
ステップＳ２，Ｓ３，Ｓ４においてＤＭＥエンジン４２、ファン制御回路４３、電源回路４４の全てが正常となった場合には、制御回路４１は、ステップＳ７において、前段に接続された表示ユニットから供給されるエラー信号のチェックを行い、ここでエラー信号を検出した場合（自らの表示ユニットよりも前段の表示ユニットに故障が発生した場合）には、ステップＳ８の処理を行い、エラー信号を検出しなかった場合、ステップＳ９の処理に移行する。
【００２９】
ステップＳ８において、制御回路４１は、デジタル回路４６を制御して画面をフリーズさせる処理、デジタル回路４６を制御して内蔵テストパターンを表示する処理、ビデオ回路４５を制御してデジタルインターフェイス１２のＩＮ端子以外の映像信号（アナログ映像信号等）に切換える処理の内、いずれかの処理を行い、ステップＳ９の処理に移行する。
【００３０】
ステップＳ９において、制御回路４１は、その他の通常処理を行い、ステップＳ２に戻る。
【００３１】
このような処理により、本実施の形態では、故障した表示ユニットのみステップＳ６で停止状態となり、故障した表示ユニットより前段に接続された表示ユニットは通常の表示を行い、故障した表示ユニットより後段に接続された表示ユニットはステップＳ８において画面状態を切換える処理を行う。
【００３２】
これにより、本実施の形態では、表示ユニットが故障した場合において、画面全体で故障を目立たなくするとともに、故障した表示ユニットを容易に特定でき、故障した表示ユニットを早く交換できる。これにより、例えば、プレゼンテーション中に表示ユニットが故障した場合でも、画面が真っ暗にならず、システム全体を使用できなくなる事態を回避できる。
【００３３】
尚、図２の実施の形態では、９個の表示ユニットを用いた場合を説明したが、表示ユニットは４個、１２個、１６個等の場合も応用でき、実施の形態例に限定されるものではない。
【００３４】
【発明の効果】
本発明では、表示ユニットが故障した場合において、画面全体で故障を目立たなくするとともに、故障した表示ユニットを容易に特定でき、故障した表示ユニットを早く交換できる。
【図面の簡単な説明】
【図１】本発明のマルチスクリーンディスプレイ装置を構成する表示ユニットを示すブロック図、
【図２】図１の表示ユニットを複数用いたマルチスクリーンディスプレイ装置のブロック図、
【図３】図１の発明の実施の形態の動作を説明するフローチャート。
【符号の説明】
１〜９        表示ユニット
１１〜１９    デジタルインターフェイス
２１〜２８    通信ケーブル
３１，４１    制御回路
３２，４２    ＤＭＥエンジン
３３，４３    ファン制御回路
３４，４４    電源回路
３５，４５    ビデオ回路
３６，４６    デジタル回路
【図１】
0003739983.tif 000002
【図２】
0003739983.tif 000003
【図３】
0003739983.tif 000004